(57)【要約】【課題】この発明は、省電力モード中にファクシミリ受信した画像を保存するためのメモリの容量が少ない画像形成装置であっても、省電力モード中においてファクシミリ受信データを印刷出力するといったことを回避でき、消費電力の節減化が図れる画像形成装置を提供することを目的とする。【解決手段】省電力モード時において、ファクシミリ受信があったときには、受信データを受信データ保存用メモリに記憶させた後に、受信データ保存用メモリ内に記憶されている受信データのページ数が所定値以上であるかまたは受信データ保存用メモリの残量が所定量以下であるという転送条件を満たしているか否かを判別する手段、上記転送条件を満たしている場合には、受信データ保存用メモリに記憶されている受信データを、当該画像形成装置にネットワークを介して接続されているＰＣに転送する手段を備えている。【選択図】図２
2008236575.tif 000002
【特許請求の範囲】
【請求項１】
ファクシミリ機能を備えかつネットワークを介してＰＣが接続されている画像形成装置において、
省電力モード時において、ファクシミリ受信があったときには、受信データを受信データ保存用メモリに記憶させた後に、受信データ保存用メモリ内に記憶されている受信データのページ数が所定値以上であるかまたは受信データ保存用メモリの残量が所定量以下であるという転送条件を満たしているか否かを判別する手段、
上記転送条件を満たしている場合には、受信データ保存用メモリに記憶されている受信データを、当該画像形成装置にネットワークを介して接続されているＰＣに転送する手段、ならびに
受信データ保存用メモリ内の受信データの上記ＰＣへの転送が終了したときに、受信データ保存用メモリに記憶されている受信データを削除する手段、
を備えていることを特徴とする画像形成装置。
【請求項２】
省電力モードから通常モードに復帰したときに、通常モードに復帰する直前の省電力モードにおいて、受信データ保存用メモリに記憶されている受信データが上記ＰＣに転送されているか否かを判別する手段、および
通常モードに復帰する前の省電力モードにおいて、受信データ保存用メモリに記憶されている受信データが上記ＰＣに転送されている場合には、その旨を上記ＰＣに通知させる手段を備えていることを特徴とする請求項１に記載の画像形成装置。
【請求項３】
省電力モードから通常モードに復帰したときに、通常モードに復帰する直前の省電力モードにおいて、受信データ保存用メモリに記憶されている受信データが上記ＰＣに転送されているか否かを判別する手段、および
通常モードに復帰する前の省電力モードにおいて、受信データ保存用メモリに記憶されている受信データが上記ＰＣに転送されている場合には、上記ＰＣに転送した受信データを上記ＰＣから取得して印刷させる手段を備えていることを特徴とする請求項１に記載の画像形成装置。
【発明の詳細な説明】
【技術分野】
【０００１】
この発明は、ファクシミリ機能を備えかつネットワークを介してＰＣが接続されている画像形成装置に関する。
【背景技術】
【０００２】
ファクシミリ機能を備えているとともに、省電力モード（スリープモード）を備えた複合機が知られている。省電力モード中にファクシミリ受信があった場合の動作としては、ファクシミリ受信した画像をそのまま印刷出力する場合と、ファクシミリ受信した画像をメモリに記憶する場合とがある。
【０００３】
省電力モード中においてファクシミリ受信した画像をそのまま印刷出力しようすると、省電力モードを解除させて、定着部の温度を所定の温度まで上昇させる必要があり、消費電力が多くなる。そこで、省電力モード中にファクシミリ受信があった場合には、原則的には、ファクシミリ受信した画像をメモリに記憶させるが、省電力モード中での受信ページ数が所定数に達した場合、またはメモリの残り容量がある値以下になった場合には、省電力モード中にファクシミリ受信した画像を印刷出力するという発明が既に開発されている（特許第３４２９９５６号公報参照）。
【０００４】
しかしながら、ファクシミリ受信した画像を保存するためのメモリの容量が少ない機器においては、省電力モード中において省電力モードを解除させる回数が増えて、消費電力が多くなるという問題がある。
【特許文献１】特許第３４２９９５６号公報参照
【発明の開示】
【発明が解決しようとする課題】
【０００５】
この発明は、省電力モード中にファクシミリ受信した画像を保存するためのメモリの容量が少ない画像形成装置であっても、省電力モード中においてファクシミリ受信データを印刷出力するといったことを回避でき、消費電力の節減化が図れる画像形成装置を提供することを目的とする。
【課題を解決するための手段】
【０００６】
請求項１に記載の発明は、ファクシミリ機能を備えかつネットワークを介してＰＣが接続されている画像形成装置において、省電力モード時において、ファクシミリ受信があったときには、受信データを受信データ保存用メモリに記憶させた後に、受信データ保存用メモリ内に記憶されている受信データのページ数が所定値以上であるかまたは受信データ保存用メモリの残量が所定量以下であるという転送条件を満たしているか否かを判別する手段、上記転送条件を満たしている場合には、受信データ保存用メモリに記憶されている受信データを、当該画像形成装置にネットワークを介して接続されているＰＣに転送する手段、ならびに受信データ保存用メモリ内の受信データの上記ＰＣへの転送が終了したときに、受信データ保存用メモリに記憶されている受信データを削除する手段を備えていることを特徴とする。
【０００７】
請求項２に記載の発明は、請求項１に記載の画像形成装置において、省電力モードから通常モードに復帰したときに、通常モードに復帰する直前の省電力モードにおいて、受信データ保存用メモリに記憶されている受信データが上記ＰＣに転送されているか否かを判別する手段、および通常モードに復帰する前の省電力モードにおいて、受信データ保存用メモリに記憶されている受信データが上記ＰＣに転送されている場合には、その旨を上記ＰＣに通知させる手段を備えていることを特徴とする。
【０００８】
請求項３に記載の発明は、請求項１に記載の画像形成装置において、省電力モードから通常モードに復帰したときに、通常モードに復帰する直前の省電力モードにおいて、受信データ保存用メモリに記憶されている受信データが上記ＰＣに転送されているか否かを判別する手段、および通常モードに復帰する前の省電力モードにおいて、受信データ保存用メモリに記憶されている受信データが上記ＰＣに転送されている場合には、上記ＰＣに転送した受信データを上記ＰＣから取得して印刷させる手段を備えていることを特徴とする。
【発明の効果】
【０００９】
この発明によれば、省電力モード中にファクシミリ受信した画像を保存するためのメモリの容量が少ない画像形成装置であっても、省電力モード中においてファクシミリ受信データを印刷出力するといったことを回避でき、消費電力の節減化が図れるようになる。
【発明を実施するための最良の形態】
【００１０】
以下、図面を参照して、本発明を複写機能、プリンタ機能およびファクシミリ機能を備えた複合機に適用した場合の実施例について説明する。
【実施例１】
【００１１】
図１は、複合機の構成を示している。
【００１２】
複合機１は、ＣＰＵ、ＲＯＭ、ＲＡＭ等を有する制御部１０を備えている。制御部１０には、メモリ（受信データ保存用メモリ）１１、スキャナ部１２、画像形成部１３、操作部１４、表示部１５、ファクシミリ送受信部１６およびネットワーク通信部１７が接続されている。
【００１３】
ファクシミリ送受信部１６は、ファクシミリ用回線に接続されている。ネットワーク通信部１７は、ＬＡＮなどのネットワークを介して、当該複合機のユーザが使用するＰＣ２０に接続されている。
【００１４】
この複合機には、消費電力の節減化を図るために省電力モード（省エネモード）が用意されている。省電力モード時においては、スキャナ部１２、画像形成部１３および表示部１５の電源がＯＦＦにされる。通常モード時において操作部１４上の電源キーが押し下げられると省電力モードに移行する。また、通常モード時において、所定時間以上、操作部１４上のキーが操作されなかった場合には、省電力モードに移行する。省電力モード時において、操作部１４上の電源キーが押し下げられると、通常モードに戻る。
【００１５】
図２は、省電力モード時および通常モード復帰時の制御部１０の動作を示している。
【００１６】
省電力モードに移行するための操作が行なわれたかまたは無操作状態が所定時間以上継続すると（ステップＳ１）、省電力モードに移行させる（ステップＳ２）。省電力モードになると、フラグＦをリセット（Ｆ＝０）にするとともに、受信ページ数カウンタ（ソフトカウンタ）を０にリセットした後（ステップＳ３）、ファクシミリ受信があったか否かを判別する（ステップＳ４）。ファクシミリ受信がないと判別した場合には、ステップＳ１４に移行し、通常モードに復帰するための操作が行なわれたか否かを判別する。通常モードに復帰するための操作が行なわれてない場合には、ステップＳ４に戻る。
【００１７】
ステップＳ４において、ファクシミリ受信があったと判別した場合には、受信データをメモリ１１に記憶する（ステップＳ５）。この際、受信画像のページ数に合わせて受信ページ数カウンタをカウントアップする（ステップＳ６）。そして、受信ページ数カウンタのカウント値が所定値以上であるか否かを判別する（ステップＳ７）。受信ページ数カウンタのカウント値が所定値未満である場合には、メモリ１１の残量が所定量以下であるか否かを判別する（ステップＳ８）。メモリ１１の残量が所定量より多い場合には、ステップＳ１４に移行する。
【００１８】
上記ステップＳ７において受信ページ数カウンタのカウント値が所定値以上であると判別した場合または上記ステップＳ８においてメモリ１１の残量が所定量以下であると判別した場合には、メモリ１１に記憶されている受信データをＰＣ２０に送信する（ステップＳ９）。ＰＣ２０に送信された受信データは、ＰＣ２０内のメモリに保存される。
【００１９】
メモリ１１内の受信データの送信が完了すると（ステップＳ１０）、メモリ１１内の受信データを削除するとともに受信ページ数カウンタを０にリセットする（ステップ１１）。次に、フラグＦがセット（Ｆ＝１）されているか否かを判別する（ステップＳ１２）。フラグＦがセット（Ｆ＝１）されている場合には、ステップＳ１４に移行する。フラグＦがセットされてない場合には、フラグＦをセット（Ｆ＝１）した後に（ステップＳ１３）、ステップＳ１４に移行する。
【００２０】
ステップＳ１４では、通常モードに復帰するための操作が行なわれたか否かを判別する。通常モードに復帰するための操作が行なわれてない場合には、ステップＳ４に戻る。通常モードに復帰するための操作が行なわれたと判別した場合には、通常モードに復帰させる（ステップＳ１５）。
【００２１】
通常モードに復帰すると、フラグＦがセット（Ｆ＝１）されているか否かを判別する（ステップＳ１６）。フラグＦがセットされていない場合には、通常の待機状態となる。上記ステップＳ１６において、フラグＦがセットされていると判別した場合には、直前の省電力モード時において、受信データがＰＣ２０に送信されているので、ＰＣ２０にその旨を通知する（ステップＳ１７）。そして、通常の待機状態となる。
【００２２】
ＰＣ２０は、複合機から省電力モード時に受信データを転送したことが通知されると、その旨を自動的に表示させる。ＰＣ２０のユーザは、この表示により、複合機が省電力モードであるときに複合機からファクミリの受信データが転送されてメモリに保存されていることを認識できるので、複合機から転送されてメモリに保存されている受信データを複合機に送って印刷させる。
【００２３】
省電力モード時において複合機内のメモリ１１内に記憶されている受信データの印刷は、通常モード時において、複合機に対してユーザが所定の操作を行なうことによって行なうことができる。
【００２４】
なお、通常モードに復帰したときに、メモリ１１内に受信データが記憶されている場合には、メモリ１１内に記憶されている受信データを複合機が自動的に印刷するようにしてもよい。
【実施例２】
【００２５】
図３は、省電力モード時および通常モード復帰時の制御部１０の動作の変形例を示している。
【００２６】
省電力モードに移行するための操作が行なわれたかまたは無操作状態が所定時間以上継続すると（ステップＳ２１）、省電力モードに移行させる（ステップＳ２２）。省電力モードになると、フラグＦをリセット（Ｆ＝０）にするとともに、受信ページ数カウンタ（ソフトカウンタ）を０にリセットした後（ステップＳ２３）、ファクシミリ受信があったか否かを判別する（ステップＳ２４）。ファクシミリ受信がないと判別した場合には、ステップＳ３５に移行し、通常モードに復帰するための操作が行なわれたか否かを判別する。通常モードに復帰するための操作が行なわれてない場合には、ステップＳ２４に戻る。      
【００２７】
ステップＳ２４において、ファクシミリ受信があったと判別した場合には、受信データをメモリ１１に記憶する（ステップＳ２５）。この際、受信画像のページ数に合わせて受信ページ数カウンタをカウントアップする（ステップＳ２６）。そして、受信ページ数カウンタのカウント値が所定値以上であるか否かを判別する（ステップＳ２７）。受信ページ数カウンタのカウント値が所定値未満である場合には、メモリ１１の残量が所定量以下であるか否かを判別する（ステップＳ２８）。メモリ１１の残量が所定量より多い場合には、ステップＳ３５に移行し、通常モードに復帰するための操作が行なわれたか否かを判別する。通常モードに復帰するための操作が行なわれてない場合には、ステップＳ２４に戻る。
【００２８】
上記ステップＳ２７において受信ページ数カウンタのカウント値が所定値以上であると判別した場合または上記ステップＳ２８においてメモリ１１の残量が所定量以下であると判別した場合には、メモリ１１に記憶されている受信データと、そのＰＣ２０での保存先であるフォルダ名と、当該受信データの保存ファイルＮｏとをＰＣ２０に送信する（ステップＳ２９）。受信データの保存先であるＰＣ２０内のフォルダ名は、予め設定されている。ファイルＮｏとしては、例えば、連続番号が用いられる。ＰＣ２０に送信された受信データは、ＰＣ２０内の指定したフォルダ内に指定したファイルＮｏを持つデータファイルとして、保存される。
【００２９】
メモリ１１内の受信データの送信が完了すると（ステップＳ３０）、メモリ１１内の受信データを削除するとともに受信ページ数カウンタを０にリセットする（ステップ３１）。次に、フラグＦがセット（Ｆ＝１）されているか否かを判別する（ステップＳ３２）。フラグＦがセット（Ｆ＝１）されている場合には、ステップＳ３４に移行する。フラグＦがセットされてない場合には、フラグＦをセット（Ｆ＝１）した後に（ステップＳ３３）、ステップＳ３４に移行する。
【００３０】
ステップＳ３４では、ステップＳ２９で送信した受信データのファイルＮｏをメモリ１１に記憶する。この後、通常モードに復帰するための操作が行なわれたか否かを判別する（ステップＳ３５）。通常モードに復帰するための操作が行なわれてない場合には、ステップＳ４に戻る。
【００３１】
上記ステップＳ３５において、通常モードに復帰するための操作が行なわれたと判別した場合には、通常モードに復帰させる（ステップＳ３６）。
【００３２】
通常モードに復帰すると、フラグＦがセット（Ｆ＝１）されているか否かを判別する（ステップＳ３７）。フラグＦがセットされていない場合には、通常の待機状態となる。
【００３３】
上記ステップＳ３７において、フラグＦがセットされていると判別した場合には、メモリ１１に記憶されているファイルＮｏからまだ取得していない１つのファイルＮｏを取得する（ステップＳ３８）。そして、ＰＣ２０に対して、受信データが保存されているフォルダ名と、ステップＳ３８で取得したファイルＮｏとを指定して、指定したファイルＮｏに対応するファイルの転送要求を行なう（ステップＳ３９）。そして、転送されてきたファイルを印刷する（ステップＳ４０）。そして、メモリ１１に記憶されている全てのファイルＮｏに対応するファイルを印刷したか否かを判別する（ステップＳ４１）。
【００３４】
メモリ１１に記憶されている全てのファイルＮｏに対応するファイルを印刷していない場合には、ステップＳ３８に戻る。上記ステップＳ４１において、メモリ１１に記憶されている全てのファイルＮｏに対応するファイルを印刷したと判別した場合には、メモリ１１に記憶されている全てのファイルＮｏを消去する（ステップＳ４２）。この後、通常の待機状態となる。
【００３５】
省電力モード時において複合機内のメモリ１１内に記憶されている受信データの印刷は、通常モード時において、複合機に対してユーザが所定の操作を行なうことによって行なうことができる。
【００３６】
なお、通常モードに復帰したときに、メモリ１１内に受信データが記憶されている場合には、メモリ１１内に記憶されている受信データを複合機が自動的に印刷するようにしてもよい。
【図面の簡単な説明】
【００３７】
【図１】複合機の構成を示すブロック図である。
【図２】省電力モード時および通常モード復帰時の制御部１０の動作を示すフローチャートである。
【図３】省電力モード時および通常モード復帰時の制御部１０の動作の変形例を示すフローチャートである。
【符号の説明】
【００３８】
１  複合機
１０  制御部
１１  メモリ
１２  スキャナ部
１３  画像形成部
１４  操作部
１５  表示部
１６  ファクシミリ送受信部
１７  ネットワーク通信部
２０  ＰＣ
【図１】
2008236575.tif 000003
【図２】
2008236575.tif 000004
【図３】
2008236575.tif 000005